(57)【要約】入浴構造（１００）は、入浴囲い（１１０）と、人をサポートするためのシート（１２０）とを備えている。シートは、水平軸についてシートを旋回させるために入浴構造のピボット（１３０）に旋回可能に結合され、それにより、シートは、ピボットの回転の際に、入浴囲い内のシートの格納ポジションと入浴囲いの外側のシートの伸長ポジションとの間で移動可能である。入浴構造は、ピボットに結合されている作動システム（１４０）をさらに備え、作動システムは、シートの格納ポジションとシートの伸長ポジションとの間のシートの移動のためにピボットを回転させるように構成されている。【選択図】図１
2021502868.tif 000002
【特許請求の範囲】
【請求項１】
入浴構造（１００）であって、
入浴囲い（１１０）と、
人をサポートするためのシート（１２０）と、ここにおいて、前記シートは、水平軸について前記シートを旋回させるために前記入浴構造のピボット（１３０）に旋回可能に結合され、それにより、前記シートは、前記ピボットの回転の際に、前記入浴囲い内の前記シートの格納ポジションと前記入浴囲いの外側の前記シートの伸長ポジションとの間で移動可能であり、
前記ピボットに結合されている作動システム（１４０）と、ここにおいて、前記作動システムは、前記シートの前記格納ポジションと前記シートの前記伸長ポジションとの間での前記シートの移動のために前記ピボットを回転させるように構成されている、
を備える、入浴構造。
【請求項２】
前記ピボットは、水平に配置されているピボット軸を備える、請求項１に記載の入浴構造。
【請求項３】
前記作動システムは、前記ピボットに結合されているレバー機構（１８０）と、前記ピボットの回転のために前記レバー機構を介して前記ピボットに機械的に結合されている伸縮要素（１９０）とを備える、請求項１又は２に記載の入浴構造。
【請求項４】
前記作動システムに通信可能に結合されている少なくとも１つの制御ユニット（２００）をさらに備え、前記少なくとも１つの制御ユニットが、前記シートの前記移動を制御するように構成されている、請求項１〜３のうちのいずれか１項に記載の入浴構造。
【請求項５】
前記少なくとも１つの制御ユニットのうちの少なくとも１つは、手動で操作可能である、請求項４に記載の入浴構造。
【請求項６】
前記少なくとも１つの制御ユニットのうちの少なくとも１つは、前記シート上に配置され、前記シートに座っている人によって手動で操作可能である、請求項５に記載の入浴構造。
【請求項７】
前記シートは、第１の水平方向に配置されている少なくとも１つの肘掛け（３００ａ、ｂ）を備え、前記少なくとも１つの肘掛けのうちの少なくとも１つは、前記第１の水平方向と、前記第１の水平方向とは異なる第２の方向との間で移動可能である、請求項１〜６のうちのいずれか１項に記載の入浴構造。
【請求項８】
前記シートは、前記シートに座っている人の重量を感知するためのうちの少なくとも１つの重量センサ（６０１）を備える、請求項１〜７のうちのいずれか１項に記載の入浴構造。
【請求項９】
前記少なくとも１つの重量センサは、前記作動システムに通信可能に結合され、前記作動システムは、前記シートに座っている人の重量に応じて前記シートを移動させるように構成されている、請求項８に記載の入浴構造。
【請求項１０】
前記入浴囲いは、開閉可能な側壁（５００）を備え、前記作動システムは、前記シートが前記入浴囲い内の前記シートの前記格納ポジションから前記入浴囲いの外側の前記シートの前記伸長ポジションに移動する前に前記側壁を開き、前記シートが前記入浴囲いの外側の前記シートの前記伸長ポジションから前記入浴囲い内の前記シートの前記格納ポジションに移動した後に前記側壁を閉じるように構成されている、請求項１〜９のうちのいずれか１項に記載の入浴構造。
【請求項１１】
前記シートは、前記シートの交換のために前記入浴構造に取り外し可能に固定されている、請求項１〜１０のうちのいずれか１項に記載の入浴構造。
【請求項１２】
入浴設備（７００）であって、
請求項１〜１１のうちのいずれか１項に記載の入浴構造と、
入浴囲いに水を供給するための水供給システム（７１０）とを備える、入浴設備。
【請求項１３】
少なくとも１つの身体洗浄製品を前記入浴囲いに供給するための製品供給システム（７３０）を備える、請求項１２に記載の入浴設備。
【請求項１４】
前記入浴設備は、前記入浴構造の前記シートに座っている人を洗浄する目的で前記入浴囲い内に配置されている少なくとも１つのノズル（７２０ａ−ｊ、７４０ａ、ｂ）を備える、請求項１２又は１３に記載の入浴設備。
【請求項１５】
入浴システム（８００）であって、
請求項１３又は１４に記載の入浴設備と、
水供給システム及び製品供給システムに通信可能に結合されている制御システム（８１０）とを備え、前記制御システムは、入浴囲いへの水及び身体洗浄製品の供給を制御するように構成されている、入浴システム。
【発明の詳細な説明】
【技術分野】
【０００１】
本発明は、特に、高齢者、障害者、負傷者、及び／又は運動障害者を入浴時に補助するための入浴構造に関する。
【背景技術】
【０００２】
入浴手順は、いくつかの理由により、高齢者及び／又は障害者にとってしばしば問題である。第１に、シャワー及びバスタブのような入浴設備は、通常、非障害者用に設計されており、特に、これらの設備の出入りは、障害者にとって深刻な困難に関連することがあることに留意されたい。第２に、例えば、浴室の床が硬くて滑りやすいことを考慮すると、浴室環境自体が潜在的に危険であるかもしれないことが認識されるだろう。したがって、シャワー又は入浴は、高齢者及び／又は障害者にとって危険であることがあり、いくつかのケースでは、身体的傷害をもたすことがある。その結果、多くの人々は、それに関連するリスクを回避するために、より少ない頻度で入浴することを余儀なくされているかもしれない。代替的に、特にシャワー又はバスタブに出入りするときに、浴室中に１人以上の補助者を得なければならない。しかしながら、補助スタッフは、人を補助するときに重い及び／又は扱いにくい持ち上げにさらされるかもしれず、スタッフは、負傷するリスクも負うかもしれない。さらに、脱衣時及び／又は個人衛生のケア時の補助の必要性は、入浴者にとって恥ずかしい及び／又は屈辱的であることがある。
【０００３】
上記の観察に鑑みて、シャワー又は入浴へのアクセス性に関して、高齢者及び／又は障害者に安全かつ便利な補助を提供することができる設備の必要性が高まっている。
【０００４】
ＵＳ２０１１／０２８３４４９は、バスタブ及びシャワーに出入りする間に人を補助するためのシステム及び装置を説明している。システムは、サポート部材を有するバスタブ用椅子システムを備え、サポート部材は、バスタブの第１の側に結合されている第１の端部を有し、バスタブの第２の側に渡って及び第２の側を越えてサポート部材の第２の端部のベース部材まで伸長する。システムは、サポート部材上に配置されている座面と、ベース部材内に配置されている電気モータと、座面を電気モータに結合する駆動部材とをさらに備えている。
【０００５】
しかしながら、説明したシステムは、高齢者及び／又は障害者のバスタブへの便利なアクセスを提供しない。したがって、シャワー又はバスへのアクセス性に関して高齢者及び／又は障害者に安全かつ便利な補助を提供できる、代替的な解決策への関心がある。
【０００６】
ＷＯ２０１６／１０７７１１及びＷＯ２０１６／１０７７１２は、人が安全で、信頼性があり、かつ便利な方法でシャワー及び／又は入浴することができる入浴設備を説明している。入浴囲いの外側のポジションと入浴囲いの内側のポジションとの間で人を前後に移送するように設備が構成されていることが認識されるだろう。したがって、滑る及び／又は落下事故のような入浴及び／又はシャワー時の事故の発生を抑制するという点で、設備は、人の入浴及び／又はシャワー手順をサポートする。入浴設備による、安全で、信頼性があり、便利な人の移送により、特に高齢者及び／又は障害者のための安全な入浴及び／又はシャワー手順を提供できる。
【０００７】
しかしながら、上述したような入浴設備のさらに改良された構造の可能性を調査又は研究することに関心があるかもしれない。より具体的には、重量、安定性、安全性及び／又は強度に関して先行技術と比較してさらに改良できる構造を提供することが望まれるかもしれない。
【発明の概要】
【０００８】
本発明の目的は、人にとって安全で便利な入浴又はシャワーアクセスを達成することができ、同時に、安定性、安全性及び／又は強度に関して有利な仕組みを有する入浴構造を提供することである。
【０００９】
この目的及び他の目的は、独立請求項に規定される特徴を有する入浴構造を提供することによって達成される。好ましい実施形態は、従属請求項において規定される。
【００１０】
したがって、本発明にしたがうと、入浴囲いを備える入浴構造が提供される。入浴構造は、人をサポートするためのシートをさらに備えている。シートは、水平軸についてシートを旋回させるために入浴構造のピボットに旋回可能に結合され、それにより、シートは、ピボットの回転の際に、入浴囲い内のシートの格納ポジションと入浴囲いの外側のシートの伸長ポジションとの間で移動可能である。入浴構造は、ピボットに結合されている作動システムをさらに備え、作動システムは、シートの格納ポジションとシートの伸長ポジションとの間のシートの移動のためにピボットを回転させるように構成されている。
【００１１】
本発明にしたがう入浴構造は、人のシャワー、入浴及び／又は洗浄のための安全で便利にアクセス可能な設備を提供し、特に高齢者及び／又は障害者に適している。さらに、入浴構造の仕組みは、比較的軽量でありながら、強度及び安定性を確保する。
【００１２】
入浴構造のシートは、ピボットを介した作動システムによって、入浴囲い内のシートの第１の格納ポジションと入浴囲いの外側の第２の伸長ポジションとの間で移動可能である。入浴囲い内のシートの格納ポジションにおいて、人は、シャワーを浴び、入浴し、及び／又は洗浄することができる。入浴囲いの外側のシートの伸長ポジションでは、人は、シャワー及び／又は入浴の前にシートに座ってもよく、或いは、シャワー及び／又は入浴の後にシートから離れてもよい。これにより、入浴構造は、シャワー及び／又は入浴手順の前に人がシートに便利にアクセスできるように構成され、同様に、前記手順の後に人がシートを便利に離れるように構成されている。入浴構造は、さらに、人を入浴囲いの外側のポジションから、シャワー及び／又は入浴手順が行われる入浴囲い内に優しくかつ便利に移送するように構成されている。前記手順の後、入浴構造は、人を入浴囲いの外側のポジションに優しくかつ便利に戻すように構成されている。
【００１３】
シートは、水平軸についてシートを旋回させるために入浴構造のピボットに旋回可能に結合され、作動システムは、ピボットを回転させるためにピボットに機械的に結合される。これにより、シートは、作動システムによるピボットの回転の際に、その格納ポジションと伸長ポジションとの間で移動するように構成されている。
【００１４】
本発明は、入浴構造が、人を入浴構造に出入りするための比較的強く安定した構造を提供するという点で有利である。本発明の入浴構造の強度及び安定性は、高齢者及び／又は障害者を移送するために特に重要かつ有利であることが認識されるだろう。さらに、入浴構造の強度及び安定性は、比較的大きく重い人に対しても安全で信頼性の高い入浴動作を保証することができる。
【００１５】
本発明は、人が安全で、信頼性があり、便利な方法でシャワー及び／又は入浴することができることがさらに有利である。入浴構造は、入浴囲いの外側のポジションと入浴囲いの内側のポジションとの間で人を前後に移送するように構成されていることが認識されるだろう。したがって、入浴構造は、人の入浴及び／又はシャワー手順をサポートし、入浴及び／又はシャワーのときの滑る及び／又は落下事故のような事故の発生を抑制する。入浴構造による人の安全で、信頼でき、便利な移送により、本発明は、特に高齢者及び／又は障害者のための安全な入浴及び／又はシャワー手順を提供する。
【００１６】
本発明の別の利点は、入浴及び／又はシャワーを浴びる際に、１人以上の補助者からの助けを必要とせずに、人が自分自身を補助できることである。これは、入浴構造が、入浴囲いの外側のポジションと入浴囲いの内側のポジションとの間で人を移送し、再び戻るように構成され、入浴構造が、さらに、人のために、シートへの容易かつ便利なアクセス、並びにシートからの容易かつ便利な上昇を提供することとして理解される。したがって、本発明の入浴構造は、１人以上の補助者の必要性を回避することができ、これは経済性及び／又は個人での完全性の点で有益である。
【００１７】
補助者の助けを必要とせずに入浴及び／又はシャワーを浴びるときに自分自身を補助する人の能力の別の利点は、これによって補助者スタッフの負傷のリスクを回避できることである。人が自律的に入浴／シャワーを浴びることができる設備を入浴構造が提供するので、本発明の入浴構造は、人を助けるときに補助者スタッフを重く及び／又は扱いにくい持ち上げにさらすリスクを回避することが認識されるだろう。
【００１８】
脱衣時及び／又は個人衛生のケア時の補助の必要性は、入浴者にとって恥ずかしい及び／又は屈辱的であるかもしれないことが認識されるだろう。したがって、本発明の別の利点は、入浴及び／又はシャワーを浴びることを意図する人に個人的補助が必要とされないことから、入浴構造が入浴者に親密さを提供することである。
【００１９】
入浴構造は、入浴囲いを備える。「入浴囲い」という用語は、ここでは、実質的に任意の（シャワー）キャビン、キャビネット、キュービクル、ブース、（バス）タブ、又はこれらに類するものを意味する。
【００２０】
入浴構造は、人をサポートするためのシートをさらに備え、シートは、ピボットに旋回可能に結合される。「シート」という用語は、ここでは、座っているポジションで人をサポートするための実質的にあらゆる種類の要素を意味する。「旋回可能に結合される」という用語は、ここでは、ピボットが回転されるとき、シートが水平軸について垂直面内の予め定められた経路に沿って旋回又は回転してもよいように、シートがピボットに機械的に結合されることを意味する。
【００２１】
入浴構造は、ピボットに結合されている作動システムをさらに備える。「作動システム」という用語は、ここでは、それに結合されている任意の要素を作動、駆動、移動、及び／又は実行するように構成、配置、及び／又は適合されている実質的に任意のシステム、設備、及び／又は装置を意味する。作動システムは、ピボットに結合され、シートが入浴囲い内のシートの格納ポジションと入浴囲いの外側のシートの伸長又は引き出しポジションとの間で（前後に）移動されるように、水平軸についてシートを旋回させるためにピボットを回転させるように構成、配置、及び／又は適合されている。「構成されている」という用語は、ここでは、作動システムが、動作（例えば、ピボットの回転）を行うように配置され、適合され、及び／又は行うことができるが、必要及び／又は所望されない場合、そのようにすることを強制されないことを意味する。
【００２２】
本発明の実施形態にしたがうと、ピボットは、水平に配置されているピボット軸を含むことができる。これにより、シートは、ピボット軸についてシートを旋回させるために、入浴構造の水平に配置されているピボット軸に旋回可能に結合されてもよく、シートは、ピボット軸の回転の際に、入浴囲い内のシートの格納ポジションと入浴囲いの外側のシートの伸長ポジションとの間で移動可能である。
【００２３】
本発明の実施形態にしたがうと、作動システムは、ピボットに結合されているレバー機構と、ピボットの回転のためにレバー機構を介してピボットに機械的に結合されている伸縮要素とを備えている。「レバー機構」という用語は、１つ以上のレバー、機械的アーム、又はこれらに類するものを含む実質的に任意の機構を意味する。「伸縮要素」という用語は、ここでは、作動の際に、より長く（伸長）又はより短く（収縮）することができる実質的に任意の要素を意味する。本実施形態は、作動システムが伸縮要素を都合よく作動させることができ、レバー機構を介してピボットにモーメントを与えることができ、ピボットが回転することができることである。
【００２４】
本発明の実施形態にしたがうと、入浴構造は、作動システムに通信可能に結合されている少なくとも１つの制御ユニットをさらに備えていてもよく、制御ユニットは、シートの移動を制御するように構成されてもよい。「通信可能に結合される」という用語は、ここでは、通信が確立されてもよい（例えば、ワイヤ又はワイヤレスによる）実質的に任意の結合及び／又はリンクを意味する。「制御ユニット」という用語は、ここでは、例えばフィードバックによってシートの移動、動き、及び／又はポジショニングを制御するように構成され、配置され、適合され、及び／又は制御することができる実質的に任意のユニット、システム、設備、及び／又は装置を意味する。したがって、入浴構造の制御ユニットは、作動システムを介してシートの移動を制御するように構成されてもよい。本実施形態は、入浴構造が、１つ以上の条件にしたがってシートの動きを適合させることができるという点で有利であり、それにより、入浴構造は、人がシートに座る、入浴囲いに入る（から出る）、及び／又はシートから出るそれぞれの方法をさらに容易にすることができる。
【００２５】
本発明の実施形態にしたがうと、少なくとも１つの制御ユニットは、手動で操作可能であってもよい。「手動で操作可能」という用語は、ここでは、制御ユニットが、入浴構造を使用する及び／又は使用しようとする人によって操作可能であってもよいことを意味する。代替的に、制御ユニットは、補助者のような他の何らかの人によって操作可能であってもよい。本実施形態は、入浴構造を使用する及び／又は使用しようとする人、並びに／或いは、１人以上の補助者がシートの動きを制御することができるという点で有利である。
【００２６】
本発明の実施形態にしたがうと、少なくとも１つの制御ユニットのうちの少なくとも１つは、シート上に配置されてもよく、シートに座っている人によって手動で操作可能であってもよい。例えば、制御ユニットは、シートの肘掛けに配置されてもよい。本実施形態は、入浴構造のシートに座っている人がシートの動きを便利に制御できるという点で有利である。本発明のさらに別の実施形態にしたがうと、入浴構造は、少なくとも１つの制御ユニットに通信可能に結合されている検出ユニットをさらに備えることができる。検出ユニットは、シートに対する人のポジションを検出するように構成されてもよく、少なくとも１つの制御ユニットは、検出した人のポジションにしたがってシートをポジション決めするように構成されてもよい。言い換えると、検出ユニットは、人のポジションを検出するように構成され、配置され、適合され、及び／又は検出することができる。検出した人のポジションに基づいて、制御ユニットは、検出されたポジションにしたがってシートをポジション決めするように構成され、配置され、適合され、及び／又はポジション決めすることができる。本実施形態は、入浴構造が、制御ユニットによって、人に対してシートをポジション決めして、人がシートに座ることができる方法をさらに促進できるという点で有利である。本実施形態は、シートがさもなければ入浴構造を使用しようとする人と衝突すると制御ユニットが検出したケースにおいて、シートの移動を停止するように制御ユニットを構成することができるので、入浴構造の安全性がさらに増加するという点でさらに有利である。
【００２７】
本発明の実施形態にしたがうと、シートは、第１の水平方向に配置されている少なくとも１つの肘掛けを備えることができ、少なくとも１つの肘掛けのうちの少なくとも１つは、第１の水平方向と、第１の水平方向とは異なる第２の方向との間で移動可能である。「シートに沿った方向」という用語は、ここでは、実質的にシートに沿った水平方向を意味する。これにより、１つの（又は両方）の肘掛けを、シートに沿った第１の方向から他の何らかの第２の方向に移動させ、再び元に戻すことができる。例えば、肘掛けは、シートに沿った（水平）ポジションと肘掛けの垂直ポジションとの間で移動可能であるように構成されてもよい。代替的に、肘掛けは、シートに沿った（水平）ポジションと、シートに対して横方向外側に伸長するポジションとの間で移動可能であるように構成されてもよい。人がシートに座ることを意図するとき、入浴構造が肘掛けによる妨害を軽減するように、肘掛けは離れて移動されてもよいことが理解されるであろう。したがって、本実施形態は、入浴構造が、人のシートへのアクセス及び／又は人がシートに座る及び／又はシートから離れる方法をさらに促進することができるという点で有利である。
【００２８】
本発明の実施形態にしたがうと、シートは、シートに座っている人の重量を感知するためのうちの少なくとも１つの重量センサを備えることができる。少なくとも１つの重量センサは、シート上及び／又はシート内に設けられ、配置され、及び／又は分布されてもよく、重量センサは、人の（実際の）重量及び／又はシート上の人の重量の分布を決定してもよい。本実施形態は、入浴構造がシート上の人のポジションを決定するように構成されてもよいという点で有利である。例えば、入浴構造は、人がシートに正しく座っているか、又は間違って座っているかを決定するように構成されてもよい。本実施形態は、入浴構造が、例えば健康登録目的のために、人の重量を便利に決定することができるという点で、さらに有利である。本発明のさらに別の実施形態にしたがうと、少なくとも１つの重量センサは、作動システムに通信可能に結合することができ、作動システムは、シートに座っている人の重量に応じてシートを移動させるように構成することができる。言い換えると、入浴構造の作動システムは、シート上の人の重量及び／又は重量分布に基づいて（応じて）シートを移動させるように構成され、配置され、適合され、及び／又は移動させることができる。例えば、入浴構造は、人がシート上に正しく座っているか又は誤って座っているかを決定するように構成することができ、これにより、この情報に基づいてシートを移動させるように構成することができる。例えば、作動システムは、人がシートに正しく座っているようである場合にシートを移動させ、人がシートに正しく座っていないような場合に移動を停止するように構成されてもよい。本実施形態は、入浴者の安全面において、入浴構造をより一層向上させるという利点がある。
【００２９】
本発明の実施形態にしたがうと、入浴囲いは、開閉可能な側壁を備えてもよく、作動システムは、シートが入浴囲い内のシートの格納ポジションから入浴囲い外のシートの伸長ポジションに移動する前に側壁を開き、シートが入浴囲い外のシートの伸長ポジションから入浴囲い内のシートの格納ポジションに移動した後に側壁を閉じるように構成されている。本実施形態は、作動システムが、シートに座っている人が側壁を開閉する必要なく、シートの移動及び／又はポジションに依存して側壁を（自動的に）開閉するように構成、配置、適合され、及び／又は開閉可能であるという点で有利である。
【００３０】
本発明の実施形態にしたがうと、シートは、シートの交換のために入浴構造に取り外し可能に固定される。本実施形態は、シートを洗浄する必要があるケース、及び／又はシートに何らかの損傷があるケースにおいて、カスタマイズ目的でシートを便利に交換できるという点で有利である。
【００３１】
本発明の実施形態にしたがうと、シートは、シートの伸長ポジションにおいて垂直に動かすことが可能なフットレストを備える。本実施形態は、垂直方向に動かすことが可能なフットレストが、入浴構造のシートのアクセス性及び／又は快適性にさらに寄与できるという点で有利である。
【００３２】
本発明のさらに別の実施形態にしたがうと、本発明の入浴構造は、シートの伸長ポジションにおいて、シートを水平面内で回転させるように、及び／又は垂直軸に対してシートを傾斜させるように構成されてもよい。これにより、入浴構造は、人がシートに座ることを意図するときに、安全で信頼性のある方法で人を受け入れてサポートすることができる。同様に、入浴構造は、人がシートを離れようとするときに、安全で信頼性のある操作を提供するためにシートを回転及び／又は傾斜させるように構成されている。座っている時のさもなければ実質的に水平なポジションから起立ポジションへの移動は、高齢者及び／又は障害者にとって特に困難であるかもしれないので、入浴構造の作動システムがシートを傾斜させる能力は、人がシートを離れようとするときに特に有利であることに留意されたい。さらに、入浴構造は、シートを傾斜及び／又は回転させることができるので、入浴構造は、身体の左側又は右側の運動に障害があるかもしれない、脳卒中を患う人にとって特に有益である。
【００３３】
本発明の実施形態にしたがうと、前述の実施形態のいずれか１つにしたがう入浴構造と、入浴囲いに水を供給するための水供給システムとを備える入浴設備が提供される。水供給システムは、入浴構造の入浴囲いに水を供給するための実質的に任意のシステムであってもよいことが理解されるであろう。例えば、水供給システムは、例えば１つ以上の（シャワー）ノズルを含むシャワーシステムとして配置及び／又は形成されてもよい。代替的に、水供給システムは、例えば、入浴囲いを水で少なくとも部分的に満たすための１つ以上の蛇口を備える、入浴システムとして配置及び／又は形成されてもよい。本実施形態は、入浴囲い内のシートに座っている人が、水供給システムによって容易かつ便利にシャワーを浴びる及び／又は入浴することができるという点で有利であり、水供給システムは、自動的に及び／又は手動で操作されてもよい。
【００３４】
本発明の実施形態にしたがうと、入浴設備は、少なくとも１つの身体洗浄製品を前記入浴囲いに供給するための製品供給システムを備えることができる。製品供給システムは、少なくとも１つの身体洗浄製品を入浴囲いに供給するための実質的に任意の自動及び／又は手動で操作されるシステムであってもよいことが認識されるだろう。「身体洗浄製品」という用語は、ここでは、石鹸、シャンプー、（ヘア）コンディショナー等のような、身体を洗浄する及び／又は洗う目的のための実質的に任意の製品を意味する。本実施形態は、自動及び／又は手動製品供給システムが、入浴囲い内のシートに座っている人に少なくとも１つの身体洗浄製品を容易かつ便利に供給するように構成及び／又は配置されるという点で有利である。
【００３５】
本発明の実施形態にしたがうと、入浴設備は、入浴構造のシートに座っている人を洗浄する目的で入浴囲い内に配置されている少なくとも１つのノズルを備えることができる。１つ以上のノズルが、１つ以上の前述の実施形態にしたがう水供給システム及び／又は製品供給システムに結合されてもよいことが理解されるであろう。さらに、少なくとも１つのノズルは、入浴設備を使用する人の異なるエリアを洗浄するために、入浴囲い内のさまざまなポジションに配置されてもよい。本実施形態は、入浴囲い内のシートに座っている人が、自分の身体の１つ以上のエリアで水及び／又は身体洗浄製品によって効率的かつ便利に洗浄されることができるという点で有利である。
【００３６】
本発明の実施形態にしたがうと、前述の実施形態のいずれか１つにしたがう入浴設備を備える入浴システムが提供される。入浴システムは、水供給システム及び製品供給システムに通信可能に結合されている制御システムをさらに備え、制御システムは、入浴囲いへの水及び身体洗浄製品の供給を制御するように構成されている。制御システムは、手動又は自動で操作されてもよく、さらに、予め定められた洗浄プログラムにしたがって水の供給を制御するように構成されてもよい。ここで、「予め定められた洗浄プログラム」という用語は、シートに座っている人を洗浄するために事前に設定されたプログラムを意味する。例えば、プログラムは、時間、水の量、１つ以上のノズルのポジション等に依存する水供給を含んでいてもよい。言い換えれば、予め定められた洗浄プログラムが提供され、それにしたがって（応じて）、制御システムは、水及び製品供給システムからの水及び身体洗浄製品の供給をそれぞれ制御するように構成され、配置され、適合され、及び／又は制御することができる。本実施形態は、入浴囲い内のシートに座っている人が、いかなる手動の介入も必要とせずにシャワー及び／又は入浴することができるという点で有利である。代替的に、制御システムは、入浴構造を使用する及び／又は使用しようとする人によって手動で操作可能であってもよく、又は入浴囲いの外側にいる補助者のような他の何らかの人によって操作可能であってもよい。制御システムは、任意の前述の実施形態にしたがう制御ユニットに通信可能に結合され、及び／又はそれと統合されてもよいことを理解すべきである。
【００３７】
本発明のさらなる目的、特徴、及び利点は、以下の詳細な開示、図面、及び添付の特許請求の範囲を検討すると明らかになるであろう。当業者は、本発明の異なる特徴を組み合わせて、以下に説明するもの以外の実施形態を作成できることを理解する。
【００３８】
本発明のこの態様及び他の態様を、本発明の実施形態を示す添付の図面を参照してより詳細に説明する。
【図面の簡単な説明】
【００３９】
【図１】図１は、本発明にしたがう入浴構造の概略図を示す。
【図２】図２は、本発明の実施形態にしたがう入浴構造のシートの概略図を示す。
【図３】図３は、本発明の実施形態にしたがう制御ユニットの概略図を示す。
【図４】図４は、本発明の実施形態にしたがう入浴設備の概略図を示す。
【図５】図５は、本発明の実施形態にしたがう入浴システムの概略図を示す。
【００４０】
すべての図は概略的であり、必ずしも縮尺通りではなく、一般に、本発明を明確にするために必要な部分のみを示し、他の部分は省略されるか、又は単に示唆しているかもしれない。
【詳細な説明】
【００４１】
図１は、本発明にしたがう入浴構造１００の概略図を示す。入浴構造１００は、入浴囲い１１０を備える。図１の入浴囲い１１０は、上部が開口した円筒形状を有する（シャワー）キャビンとして例示されている。代替的に、入浴囲い１１０は、キャビネット、キュービクル、ブース、（バス）タブ、又は、これらに類するものであってもよい。入浴囲い１１０は、少なくとも部分的に透明な素材、例えばプレキシガラス、ガラス、プラスチック、又は、これらに類するものを含むことができる。図１に示すような実質的に円形の入浴囲い１１０のケースでは、入浴囲い１１０の直径は、約１０００−１４００ｍｍ、好ましくは約１２００ｍｍであってもよい。
【００４２】
入浴囲い１１０は、開閉可能な側壁５００を備える。側壁５００は、矢印５０１によって示されるように、側壁５００と摺動可能に係合されてもよい、第１の部分及び第２の部分を備えてもよい。代替的に、側壁５００は、ドアとして側壁５００から外側に開くことができる第１の部分及び第２の部分を備えることができる。しかしながら、当業者は、図１に示されたもの以外の側壁５００の他の設備が実現可能であることを理解する。側壁５００は、手動又は自動で開閉可能であってもよいことが認識されるだろう。側壁５００は、側壁５００が正しく閉じられているかどうかを感知するための１つ以上のセンサをさらに備えることができる。
【００４３】
図１の入浴構造１００は、人をサポートするためのシート１２０をさらに備える。シート１２０は、座っているポジションにある人をサポートするためのシート部分１２１と、シート部分１２１に実質的に垂直に配置されている背もたれ１２２と、シート部分１２１に沿って配置されている２つの肘掛け３００ａ、ｂとを備える。
【００４４】
図１では、シート１２１は、平行に配置されている２つの分離された部分１２１ａ、ｂを備え、それによってこれらの間に空間を規定する。背もたれ１２２はまた、２つの部分１２２ａ、ｂを備え、空間がこれらの間に規定されるように平行に配置されている。シート１２０は、シート部分１２１の下方に配置されているフットレスト６００をさらに備える。フットレスト６００は、シート１２０が入浴囲いの外側のその伸長ポジションにあるとき、垂直に動かすことが可能であってもよい。さらに、フットレスト６００は、シート１２０がその格納ポジションに動かされるときに、シート１２０の下のポジションに自動的に格納するように構成されてもよい。同様に、フットレスト６００は、シート１２０がその伸長ポジションに動かされるとき、シート１２０の下のポジションから自動的に伸長するように構成されてもよい。
【００４５】
図１の入浴構造１００は、水平軸についてシートを旋回させるためにシート１２０が旋回可能に結合されるピボット１３０をさらに備える。図１に例示されるピボット１３０は、入浴構造１００の底部に水平に配置されているピボット軸１３０を含み又は構成し、シート１２０は、フレームワーク１３５を介してピボット軸１３０に機械的に結合される。入浴構造１００のフレームワーク１３５は、１つ以上のアーム、レバー、バー、又はこれらに類するものを含んでいてもよいことが理解されるであろう。しかしながら、簡略化のため、及び図１の理解を高めるために、フレームワーク１３５は、より詳細には説明しない。
【００４６】
図１の入浴構造１００のピボット軸１３０の回転１３７の際に、シート１２０は、ピボット軸１３０の周りを旋回１３８するように配置される。その結果、シート１２０は、シート１２０の格納ポジションからシート１２０の伸長ポジションまで垂直面内のわずかに湾曲した経路に沿って移動し、戻ることができる。例えば、図１に例示されるような入浴構造１００の向きからの、ピボット軸１３０の反時計回りの回転１３７のケースでは、シート１２０は旋回１３８し、格納ポジションから伸長ポジションに移動してもよい。同様に、ピボット軸３０の時計回りの回転１３７のケースでは、シート１２０は旋回１３８し、伸長ポジションから格納ポジションに移動してもよい。
【００４７】
入浴構造１００は、概略的に示された作動システム１４０をさらに備える。作動システム１４０は、１つ以上のモータ設備、カップリング、ギア等を含むことができる動力システム１５０を含む。動力システム１５０は、動力システムのコンポーネントを水から密封するためのハウジングを備える。入浴構造１００の動力システム１５０のさらなる詳細は、当業者に周知であるため、省略されることが理解されるであろう。
【００４８】
作動システム１４０は、ピボット軸１３０に結合され、作動システム１４０は、その格納ポジションと伸長ポジションとの間のシート１２０の旋回可能な移動のためにピボット軸１３０を回転させるように構成されている。図１の入浴構造１００の作動システム１４０は、ピボット軸１３０に直接的又は間接的にのいずれかで結合されるレバー機構１８０をさらに備える。さらに、伸縮要素１９０は、ピボット軸１３０の回転のためにレバー機構１８０を介してピボット軸１３０に機械的に結合される。
【００４９】
図１の伸縮要素１９０は、直線的に伸長可能及び格納可能であることが認識されるだろう。したがって、伸縮要素１９０は、例えば、互いに内側に摺動する部分によって、より長く（伸長）又はより短く（収縮）することができる。しかしながら、伸縮要素１９０の他の実現が実現可能であることに留意されたい。
【００５０】
したがって、図１の例示的な実施形態にしたがうと、入浴構造１００の作動システム１４０は、伸縮要素１９０を介してピボット軸１３０を回転させる１３７ように構成されている。その結果、シート１２０は、入浴囲い１１０内のシート１２０の格納ポジションと入浴囲い１１０の外側のシート１２０の伸長ポジションとの間で、予め定められたわずかに湾曲した経路に沿って移動してもよい。同様に、入浴構造１００の作動システム１４０は、入浴囲い１１０の外側のシート１２０の伸長ポジションと入浴囲い１１０の内側のシート１２０の格納ポジションとの間でシート１２０を移動させるように構成されている。伸縮要素１９０を格納ポジションから伸長ポジションに伸長させる（又はその逆の）時間は、約３０−４０秒であってもよい。したがって、作動システム１４０は、伸縮要素１９０を比較的ゆっくりと伸長（格納）するように構成され、これは、シート１２０に座っている人にとって安全上の理由で有益である。
【００５１】
入浴構造１００の例示的な実施形態にしたがうと、入浴構造１００の作動システム１４０は、シート１２０の伸長ポジションにおいて、シート１２０を実質的に水平面の方向に回転させるようにさらに構成されてもよい。例えば、作動システム１４０は、シート１２０を水平面ｘ−ｙで、約＋９０°から−９０°、例えば＋４５°から−４５°回転させるように構成することができる。さらに、入浴構造１００の作動システム１４０は、シート１２０の伸長ポジションにおいて、シート１２０を垂直軸に対して傾斜させるように構成されてもよい。例えば、作動システム１４０は、シート１２０を約０−４５°、例えば０−３０°前方に傾斜させるように構成することができる。さらに、作動システム１４０は、シート１２０を約０−２５°、例えば０−１５°後方に傾斜させるように構成することができる。入浴構造１００の作動システム１４０は、その伸長ポジションにおいて、シート１２０を垂直軸ｚに沿って移動させるようにさらに構成されてもよい。言い換えれば、入浴構造１００は、シート１２０の高さを調節するように構成されてもよい。例えば、入浴構造１００は、シート１２０のシート１２１の高さを床面から約３５−６０ｃｍ、例えば４２−５２ｃｍ上に調整するように構成されてもよい。
【００５２】
図１に例示される入浴構造１００は、図３に概略的に示される制御ユニット２００をさらに備えてもよい。作動システム１４０に（有線又は無線で）通信可能に結合されている制御ユニット２００は、シート１２０の移動を制御するように構成されている。制御ユニット２００は、自動又は手動で操作可能であってもよいことが認識されるだろう。制御ユニット２００は、シート１２０に座っている人１３０（すなわち入浴者）がシート１２０の動きを制御することができるように、入浴囲い１１０の内側に配置することができる。例えば、図１に例示されるように、制御ユニット２００は、シート１２０に座っている人１３０によるシート１２０の便利な制御のために、シート１２０の肘掛け３００ａ、ｂ上に配置されてもよい。代替的に、又はこれと組み合わせて、制御ユニット２００は、入浴囲い１１０の外側に配置されてもよい。手動操作のケースでは、入浴囲い１１０の外側の人（例えば入浴者又は補助者）は、制御ユニット２００によってシート１２０の動きを制御することができる。
【００５３】
図２は、本発明の実施形態にしたがう入浴構造のシート１２０の概略図を示す。図２のシート１２０は、図１のシート１２０の特徴及びコンポーネントを含むことが認識されるだろう。シート部分３２１は、平行に配置されている２つのカップ形状の分離された部分３２１ａ、ｂを備え、これによってこれらの間に空間を規定する。背もたれ３２２はまた、平行に配置されている２つの部分３２２ａ、ｂを備え、空間がこれらの間に規定される。背部シート３２２は、シート１２０に座っている人の背中に向かって膨らむアーチ状の凸形状を有してもよい。シート１２０は、好ましくは、耐水性素材、例えば、ポリウレタン、プラスチック又はガラス繊維を含む。シート１２０は、石鹸、シャンプー、（ヘア）コンディショナー等の身体洗浄製品、とともに界面活性剤、カビ、洗浄剤等に対して耐性があることが好ましい。ここで、シート１２０は、暖かい、湿った、及び／又は、濡れた環境にさらされるように構成され、流体及び／又は液体製品に耐えるように構成されている。さらに、シート１２０は、好ましくは、糞便、尿、汗のような体の排泄物に対して耐性があり、シート１２０はまた、このような体の排泄物から容易かつ便利に洗浄可能である。例示したシート１２０は、本発明の任意の前述の実施形態にしたがう入浴構造に含まれてもよいことが認識されるだろう。例えば、シート１２０は、シート１２０の交換のために入浴構造に取り外し可能に固定されてもよい。
【００５４】
シート１２０は、シート１２０に沿って配置されている２つの肘掛け３００ａ、ｂを備える。１つ（又は両方）の肘掛け３００ａ、ｂは、その第１の（初期）水平方向から、第１の水平方向とは異なる第２の方向に移動及び／又は回転されてもよい。例えば、１つ又は両方の肘掛け３００ａ、ｂは、水平ｘ−ｙ平面で方向Ａに移動されてもよく、例えば、シート１２０から外側に回転されてもよい。さらに、１つ又は両方の肘掛け３００ａ、ｂは、垂直軸ｚに対して方向Ｃに移動されてもよく、すなわち、シート１２０から上方又は下方に上昇又は下降されてもよい。
【００５５】
図２の例示的な実施形態にしたがうシート１２０は、シート１２０に座っている人の重量を感知するための複数の重量センサ６０１をさらに備えることができる。ここで、重量センサ６０１は、重量センサ６０１がシート１２０に座っている人の重量の分布をさらに決定することができるように、シート１２０に分布される。重量センサ６０１の数、サイズ、及び／又は配置はさまざまであってよいことが認識されるだろう。さらに、本発明の実施形態にしたがうと、重量センサ６０１は、作動システムに通信可能に結合することができ、作動システムは、これにより、シート１２０に座っている人の重量センサ６０１によって感知された重量に応じて（又はそれに基づいて）シート１２０を移動させるように構成することができる。例えば、入浴構造は、人がシート１２０に正しく座っているか、又は間違って座っているかを決定するように構成されてもよい。人がシート１２０に正しく座っていると入浴構造が決定した場合、それに応じてシート１２０を移動させるように構成することができる。しかしながら、人がシート１２０に誤って座っていると入浴構造が決定した場合、入浴構造は、安全上の理由によりシート１２０の移動を停止するように構成されてもよい。
【００５６】
図３は、本発明の実施形態にしたがう制御ユニット２００の概略図を示す。制御ユニット２００は、複数のタッチ可能制御エリアを示すタッチスクリーン２０１を有するものとして例示される。タッチスクリーン２０１は、例示されるように、タッチ可能制御エリア「シート前方」２１０、「シート後方」２１１、「水オン」２１２、「水オフ」２１３等を含み、それによって、タッチ可能制御エリア２１４−２１７は、シートの操作、水の供給、アラーム等に関連するさらなるコマンドを構成してもよい。制御ユニット２００は、例えばシート１２０の移動を制御するために、上述したものよりも多い又は少ないタッチ可能制御エリアを有してもよいことが理解されるであろう。さらに、制御ユニット２００は、シート１２０の移動を制御するための１つ以上のノブ又はこれに類するものを備えることができる。シート１２０の移動の制御は、以下のように例示されてもよい：制御エリア「シート前方」２１０を押すことによって、作動システム１４０は、入浴囲い１１０内のシート１２０の格納ポジションから入浴囲い１１０の外側のシート１２０の伸長ポジションまでシート１２０を移動させるように命令される。同様に、制御エリア「シート後方」２１１を押すことによって、作動システム１４０は、入浴囲い１１０の外側のシート１２０の伸長ポジションから入浴囲い１１０の内側のシート１２０の格納ポジションまでシート１２０を移動させるように命令される。
【００５７】
図４は、本発明の実施形態にしたがう入浴設備７００の概略図を示す。入浴設備７００は、前述の実施形態のいずれか１つにしたがう入浴構造１００を備える。図４の入浴構造１００のシート１２０は、伸長ポジションで示される図１の入浴構造１００のシート１２０と比較して、シート１２０の格納ポジションで示されていることが理解されるであろう。入浴構造１００は、入浴囲い１１０に水を供給するための概略的に示された水供給システム７１０をさらに備える。入浴設備７００は、シャワーとして構築又は設計されてもよく、供給された水は、入浴囲い１１０中に配置されている床排水口を通って流出してもよいことが理解されるであろう。代替的に、入浴設備７００は、バスとして構築又は設計されてもよく、供給された水は、所望の及び／又は予め定められた水位まで入浴囲い１１０を満たしてもよい。水供給システム７１０は、バスタブの蛇口、シャワー、洗面器、又は、これらに類するもののような水源を備えてもよく、これらは、入浴構造１００が配置される（入浴）室に設けられてもよいことが認識されるだろう。水供給システム７１０は、入浴囲い１１０に水を供給するための１つ以上の導管、ポンプ等をさらに備えることができる。しかしながら、簡略化のために、水供給システム７１０の設備のより詳細な説明は省略されることに留意されたい。
【００５８】
図４の入浴設備７００は、入浴囲い１１０内に配置されている複数の水ノズル７２０ａ−ｊをさらに備える。水ノズル７２０ａ−ｊは、入浴構造１００のシート１２０に座っている人に、前記人を洗浄する目的で水を噴霧するように配置される。例示される入浴設備７００では、入浴囲い１１０内に配置されている１０個の水ノズル７２０ａ−ｊがある。水ノズル７２０ａ及び７２０ｂは、入浴囲い１１０の前方左側及び右側にそれぞれ配置され、入浴囲い１１０に対して比較的高いポジションにあり、シート１２０に座っている人に向かって斜め下方に水を噴霧するように配置される。例えば、水ノズル７２０ａ及び７２０ｂは、シート１２０に座っている人の胸部及び／又は胴体に水を噴霧するように配置されてもよい。それに応じて、水ノズル７２０ｃ及び７２０ｄは、入浴囲い１１０の正面左側及び右側にそれぞれ配置され、入浴囲い１１０に対して比較的低いポジションにあり、シート１２０に座っている人に向かって斜め上方に水を噴霧するように配置される。水ノズル７２０e及び７２０ｆは、入浴囲い１１０の前側に垂直シーケンスで配置され、シート１２０に座っている人の胴体、腿、脚、及び／又は足に水を噴霧するように配置される。例示的な実施形態にしたがうと、シート１２０に座っている人の足裏に水を噴霧するように配置されるように、シート１２０のフットレスト６００に配置されている水ノズル７２０ｇ及び７２０ｈが設けられてもよい。水ノズル７２０ｉは、シート１２０の２つの分離された部分１２１ａ、ｂによって規定された空間内（又はその近傍）に配置される。これにより、水ノズル７２０ｉは、シート１２０に座っている人の生殖器、肛門周囲、及び／又は臀裂エリアに向けて斜め上方に水を噴霧するように配置される。水ノズル７２０ｉからの水は、膣エリアから肛門周囲又は臀裂エリアに向けた方向に噴霧してもよいため、水ノズル７２０ｉは、女性の下腹部を洗浄する／洗うために特に重要であるかもしれないことを理解されたい。水ノズル７２０ｊは、入浴囲い１１０の裏側に配置され、シート１２０に座っている人の背中に水を噴霧するように配置される。入浴設備７００は、シート１２０に座っている人によって望まれる及び／又は必要とされる場合、シャワー操作を便利にするために、入浴囲い１１０内に配置されている手動操作可能なシャワーヘッド（図示せず）をさらに備えることができる。
【００５９】
図４では、入浴設備７００は、入浴囲い１１０への身体洗浄製品（例えば、石鹸、シャンプー等）の供給のための製品供給システムをさらに備えてもよい。水供給システム７１０とは別個に配置される製品供給システムは、身体洗浄製品が保管されている容器を備えてもよい。製品供給システムは、入浴囲い１１０に身体洗浄製品を供給するための１つ以上の導管、継手、ポンプ等をさらに備えることができる。製品供給システムは、入浴囲い１１０内に配置されている複数の身体洗浄製品ノズル７４０ａ、ｂをさらに備える。身体洗浄製品ノズル７４０ａ、ｂ（以下、石鹸ノズル７４０ａ、ｂと呼ぶ）は、入浴構造１００のシート１２０に座っている人を洗浄する目的で、容器から前記人に身体洗浄製品（例えば、石鹸、シャンプー等）を噴霧するように配置される。図４に例示される入浴設備７００では、入浴囲い１１０内に配置されている２つの石鹸ノズル７４０ａ及び７４０ｂがある。石鹸ノズル７４０ａは、入浴囲い１１０の前側に、入浴囲い１１０に対して比較的高いポジションに配置され、石鹸ノズル７４０ａは、シート１２０に座っている人に向かって斜め下方に身体洗浄製品を噴霧するように配置される。例えば、石鹸ノズル７４０ａは、シート１２０に座っている人の胸部及び／又は胴体に身体洗浄製品を噴霧するように配置されてもよい。石鹸ノズル７４０ｂは、シート１２０の２つの分離された部分１２１ａ、ｂによって規定される空間内（又はその近傍）に配置される。石鹸ノズル７４０ｂは、シート１２０に座っている人の生殖器、肛門周囲及び／又は臀裂エリアに向けて斜め上方に身体洗浄製品を噴霧するように配置される。
【００６０】
水ノズル７２０ａ−ｊ及び石鹸ノズル７４０ａ、ｂのうちの１つ以上は、その傾斜角に関して調整可能であってもよいことが認識されるだろう。さらに、水ノズル７２０ａ−ｊ及び石鹸ノズル７４０ａ、ｂは、バヨネット結合を備えてもよい。水ノズル７２０ａ−ｊ及び石鹸ノズル７４０ａ、ｂ内の圧力は、ほぼ４−６バールであってもよい。
【００６１】
図５は、本発明の実施形態にしたがう入浴システム８００の概略図を示す。入浴システム８００は、任意の前述の実施形態にしたがう入浴設備７００を備える。図５において、入浴設備７００は、水供給システム７１０及び製品供給システム７３０の両方を含む。入浴システム８００は、水供給システム７１０及び／又は製品供給システム７３０に（有線又は無線で）通信可能に結合されている制御システム８１０をさらに備える。制御システム８１０は、これにより、入浴設備７００の入浴囲いへの水及び／又は身体洗浄製品の供給を制御するように構成されている。制御システム８１０は、自動であってもよく、さらに、予め定められた洗浄プログラムにしたがって水及び／又は身体洗浄製品の供給を制御するように構成されてもよい。例えば、予め定められた洗浄プログラムは、水及び／又は身体洗浄製品の量、流れ、並びに／或いは温度が予め設定された、水及び／又は身体洗浄製品の供給を含んでもよい。例えば、予め定められた洗浄プログラムは、入浴設備の入浴構造のシートに座っている人が、洗浄プログラムの第１の段階において、入浴設備の水ノズルのうちの１つ以上によって水でシャワー（洗浄、噴霧）されてもよいように形成されてもよい。次いで、洗浄プログラムの第２の段階において、人は、入浴設備の石鹸ノズルのうちの１つ以上によって身体洗浄製品（例えば、石鹸）でシャワー（洗浄、噴霧）されてもよい。次に、洗浄プログラムの第３段階において、人は再び水でシャワーされてもよい。
【００６２】
制御システム８１０は、代替的に、入浴構造を使用する及び／又は使用しようとする人によって手動で操作可能であってもよく、或いは、入浴囲いの外側にいる補助者のような他の何らかの人によって操作可能であってもよい。制御システム８１０は、例えば、任意の前述の実施形態にしたがう制御ユニット２００に通信可能に結合され、及び／又はそれと統合されてもよい。例えば、制御システム８１０は、シート１２０に座っている人による便利な制御のために、シート１２０（例えば、肘掛け３００ａ、ｂ）上に配置されている制御ユニット２００と統合されてもよい。したがって、制御ユニット２００は、水及び／又は身体洗浄製品の供給に関連する制御システム８１０の機能をさらに備えることができる。例えば、図３で先に例示したようなタッチスクリーン２０１は、水又は身体洗浄製品の、温度、及び／又は時間期間の量の供給を制御するために、１つ以上のタッチ可能制御エリア（又はノブ）をさらに含んでもよい。例えば、タッチスクリーン２０１は、「水」、「時間」、「石鹸」、「温度」等のようなタッチ可能制御エリアを含むことができる。代替的に、タッチ可能制御エリアの代わりに、水及び／又は身体洗浄製品の供給に関連する制御システム８１０の機能は、ボタン、スイッチ、又はこれらに類するものによって制御可能であってもよい。
【００６３】
本発明は、その特定の例示的な実施形態を参照して説明してきたが、多くの異なる変更、修正、及び、これらに類するものが、この説明を検討した後に当業者に明らかになるであろう。したがって、説明した実施形態は、本発明の範囲を限定することを意図するものではない。例えば、入浴囲い１１０、シート１２０、伸縮要素１９０等のような入浴構造１００の部品、部分、及び／又は、要素のうちの１つ以上のサイズ並びに／或いは形状は、示した又は表示したものとは異なってもよい。さらに、水ノズル７２０ａ−ｊ及び／又は石鹸ノズル７２０ａ−ｂのような入浴構造１００の部品、部分及び／又は要素のうちの１つ以上の数、ポジション決めは、示したものと異なってもよい。
【図１】
2021502868.tif 000003
【図２】
2021502868.tif 000004
【図３】
2021502868.tif 000005
【図４】
2021502868.tif 000006
【図５】
2021502868.tif 000007
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
入浴構造（１００）であって、
開閉可能な側壁（５００）を備える入浴囲い（１１０）と、
人をサポートするためのシート（１２０）と、ここにおいて、前記シートは、水平軸について前記シートを旋回させるために前記入浴構造のピボット（１３０）に旋回可能に結合され、それにより、前記シートは、前記ピボットの回転の際に、前記入浴囲い内の前記シートの格納ポジションと前記入浴囲いの外側の前記シートの伸長ポジションとの間で移動可能であり、
前記ピボットに結合されている作動システム（１４０）と、ここにおいて、前記作動システムは、前記シートの前記格納ポジションと前記シートの前記伸長ポジションとの間での前記シートの移動のために前記ピボットを回転させるように構成され、ここにおいて、前記作動システムは、前記シートが前記入浴囲い内の前記シートの前記格納ポジションから前記入浴囲いの外側の前記シートの前記伸長ポジションに移動する前に前記側壁を開き、前記シートが前記入浴囲いの外側の前記シートの前記伸長ポジションから前記入浴囲い内の前記シートの前記格納ポジションに移動した後に前記側壁を閉じるように構成されている、
を備える、入浴構造。
【請求項２】
前記ピボットは、水平に配置されているピボット軸を備える、請求項１に記載の入浴構造。
【請求項３】
前記作動システムは、前記ピボットに結合されているレバー機構（１８０）と、前記ピボットの回転のために前記レバー機構を介して前記ピボットに機械的に結合されている伸縮要素（１９０）とを備える、請求項１又は２に記載の入浴構造。
【請求項４】
前記作動システムに通信可能に結合されている少なくとも１つの制御ユニット（２００）をさらに備え、前記少なくとも１つの制御ユニットが、前記シートの前記移動を制御するように構成されている、請求項１〜３のうちのいずれか１項に記載の入浴構造。
【請求項５】
前記少なくとも１つの制御ユニットのうちの少なくとも１つは、手動で操作可能である、請求項４に記載の入浴構造。
【請求項６】
前記少なくとも１つの制御ユニットのうちの少なくとも１つは、前記シート上に配置され、前記シートに座っている人によって手動で操作可能である、請求項５に記載の入浴構造。
【請求項７】
前記シートは、第１の水平方向に配置されている少なくとも１つの肘掛け（３００ａ、ｂ）を備え、前記少なくとも１つの肘掛けのうちの少なくとも１つは、前記第１の水平方向と、前記第１の水平方向とは異なる第２の方向との間で移動可能である、請求項１〜６のうちのいずれか１項に記載の入浴構造。
【請求項８】
前記シートは、前記シートに座っている人の重量を感知するための少なくとも１つの重量センサ（６０１）を備える、請求項１〜７のうちのいずれか１項に記載の入浴構造。
【請求項９】
前記少なくとも１つの重量センサは、前記作動システムに通信可能に結合され、前記作動システムは、前記シートに座っている人の重量に応じて前記シートを移動させるように構成されている、請求項８に記載の入浴構造。
【請求項１０】
前記シートは、前記シートの交換のために前記入浴構造に取り外し可能に固定されている、請求項１〜９のうちのいずれか１項に記載の入浴構造。
【請求項１１】
入浴設備（７００）であって、
請求項１〜１０のうちのいずれか１項に記載の入浴構造と、
入浴囲いに水を供給するための水供給システム（７１０）とを備える、入浴設備。
【請求項１２】
少なくとも１つの身体洗浄製品を前記入浴囲いに供給するための製品供給システム（７３０）を備える、請求項１１に記載の入浴設備。
【請求項１３】
前記入浴設備は、前記入浴構造の前記シートに座っている人を洗浄する目的で前記入浴囲い内に配置されている少なくとも１つのノズル（７２０ａ−ｊ、７４０ａ、ｂ）を備える、請求項１１又は１２に記載の入浴設備。
【請求項１４】
入浴システム（８００）であって、
請求項１２又は１３に記載の入浴設備と、
水供給システム及び製品供給システムに通信可能に結合されている制御システム（８１０）とを備え、前記制御システムは、入浴囲いへの水及び身体洗浄製品の供給を制御するように構成されている、入浴システム。
【手続補正２】
【補正対象書類名】明細書
【補正対象項目名】００６３
【補正方法】変更
【補正の内容】
【００６３】
本発明は、その特定の例示的な実施形態を参照して説明してきたが、多くの異なる変更、修正、及び、これらに類するものが、この説明を検討した後に当業者に明らかになるであろう。したがって、説明した実施形態は、本発明の範囲を限定することを意図するものではない。例えば、入浴囲い１１０、シート１２０、伸縮要素１９０等のような入浴構造１００の部品、部分、及び／又は、要素のうちの１つ以上のサイズ並びに／或いは形状は、示した又は表示したものとは異なってもよい。さらに、水ノズル７２０ａ−ｊ及び／又は石鹸ノズル７２０ａ−ｂのような入浴構造１００の部品、部分及び／又は要素のうちの１つ以上の数、ポジション決めは、示したものと異なってもよい。
以下に、本願出願の当初の特許請求の範囲に記載された発明を付記する。
［１］  入浴構造（１００）であって、
入浴囲い（１１０）と、
人をサポートするためのシート（１２０）と、ここにおいて、前記シートは、水平軸について前記シートを旋回させるために前記入浴構造のピボット（１３０）に旋回可能に結合され、それにより、前記シートは、前記ピボットの回転の際に、前記入浴囲い内の前記シートの格納ポジションと前記入浴囲いの外側の前記シートの伸長ポジションとの間で移動可能であり、
前記ピボットに結合されている作動システム（１４０）と、ここにおいて、前記作動システムは、前記シートの前記格納ポジションと前記シートの前記伸長ポジションとの間での前記シートの移動のために前記ピボットを回転させるように構成されている、
を備える、入浴構造。
［２］  前記ピボットは、水平に配置されているピボット軸を備える、［１］に記載の入浴構造。
［３］  前記作動システムは、前記ピボットに結合されているレバー機構（１８０）と、前記ピボットの回転のために前記レバー機構を介して前記ピボットに機械的に結合されている伸縮要素（１９０）とを備える、［１］又は［２］に記載の入浴構造。
［４］  前記作動システムに通信可能に結合されている少なくとも１つの制御ユニット（２００）をさらに備え、前記少なくとも１つの制御ユニットが、前記シートの前記移動を制御するように構成されている、［１］〜［３］のうちのいずれか１項に記載の入浴構造。
［５］  前記少なくとも１つの制御ユニットのうちの少なくとも１つは、手動で操作可能である、［４］に記載の入浴構造。
［６］  前記少なくとも１つの制御ユニットのうちの少なくとも１つは、前記シート上に配置され、前記シートに座っている人によって手動で操作可能である、［５］に記載の入浴構造。
［７］  前記シートは、第１の水平方向に配置されている少なくとも１つの肘掛け（３００ａ、ｂ）を備え、前記少なくとも１つの肘掛けのうちの少なくとも１つは、前記第１の水平方向と、前記第１の水平方向とは異なる第２の方向との間で移動可能である、［１］〜［６］のうちのいずれか１項に記載の入浴構造。
［８］  前記シートは、前記シートに座っている人の重量を感知するためのうちの少なくとも１つの重量センサ（６０１）を備える、［１］〜［７］のうちのいずれか１項に記載の入浴構造。
［９］  前記少なくとも１つの重量センサは、前記作動システムに通信可能に結合され、前記作動システムは、前記シートに座っている人の重量に応じて前記シートを移動させるように構成されている、［８］に記載の入浴構造。
［１０］  前記入浴囲いは、開閉可能な側壁（５００）を備え、前記作動システムは、前記シートが前記入浴囲い内の前記シートの前記格納ポジションから前記入浴囲いの外側の前記シートの前記伸長ポジションに移動する前に前記側壁を開き、前記シートが前記入浴囲いの外側の前記シートの前記伸長ポジションから前記入浴囲い内の前記シートの前記格納ポジションに移動した後に前記側壁を閉じるように構成されている、［１］〜［９］のうちのいずれか１項に記載の入浴構造。
［１１］  前記シートは、前記シートの交換のために前記入浴構造に取り外し可能に固定されている、［１］〜［１０］のうちのいずれか１項に記載の入浴構造。
［１２］  入浴設備（７００）であって、
［１］〜［１１］のうちのいずれか１項に記載の入浴構造と、
入浴囲いに水を供給するための水供給システム（７１０）とを備える、入浴設備。
［１３］  少なくとも１つの身体洗浄製品を前記入浴囲いに供給するための製品供給システム（７３０）を備える、［１２］に記載の入浴設備。
［１４］  前記入浴設備は、前記入浴構造の前記シートに座っている人を洗浄する目的で前記入浴囲い内に配置されている少なくとも１つのノズル（７２０ａ−ｊ、７４０ａ、ｂ）を備える、［１２］又は［１３］に記載の入浴設備。
［１５］  入浴システム（８００）であって、
［１３］又は［１４］に記載の入浴設備と、
水供給システム及び製品供給システムに通信可能に結合されている制御システム（８１０）とを備え、前記制御システムは、入浴囲いへの水及び身体洗浄製品の供給を制御するように構成されている、入浴システム。
【国際調査報告】
2021502868.tif 000008
2021502868.tif 000009
2021502868.tif 000010